(57)【要約】      （修正有）【課題】顧客にカタログ等の資料を提供する場合においても、名刺と資料を同時に渡すことができ、名刺を渡した人を顧客に対して強く印象付けることができる名刺とこの名刺を作成するための名刺用紙を提供する。【解決手段】用紙本体１０を書類ホルダーの形状に構成した名刺用紙１に印刷を施して名刺とする。【選択図】図１
0003173733.tif 000002
【実用新案登録請求の範囲】
【請求項１】
名刺用紙の用紙本体を書類ホルダーの形状に構成したことを特徴とする名刺用紙。
【請求項２】
前記用紙本体を書類ホルダーの展開形状に構成したことを特徴とする請求項１記載の名刺用紙。
【請求項３】
前記用紙本体を紙で構成したことを特徴とする請求項１または２記載の名刺用紙。
【請求項４】
前記用紙本体の表裏面ともに全面印刷を施すようにしたことを特徴とする請求項１乃至３の何れか１項に記載の名刺用紙。
【請求項５】
前記書類ホルダーの形状が、折り曲げられた一枚のシートもしくは重ね合わされた複数枚のシートからなり、四辺のうち連続する一組の二辺が閉じられ、他の二辺が開放されて、内部に書類を収容できるようにしたものであることを特徴とする請求項１乃至４の何れか１項に記載の名刺用紙。
【請求項６】
前記請求項１乃至５の何れか１項に記載の名刺用紙に印刷を施したことを特徴とする名刺。
【考案の詳細な説明】
【技術分野】
【０００１】
本考案は、名刺を渡した際に相手に強く印象付けることができ、カタログ、パンフレット、チラシ、説明資料、広告資料、文献、写真等の各種資料を収容するための、いわゆるクリアファイル、ＰＰファイルなどと称される書類ホルダーとしても使用でき、名刺とカタログ等の資料を相手に同時に渡すことができる名刺を作成するための名刺用紙と名刺に関する。
【背景技術】
【０００２】
従来、名刺としては、いわゆる名刺サイズの名刺用紙に氏名、所属組織、役職、電話番号、ＦＡＸ番号、メールアドレス等の必要事項を印刷したものが一般的に使用され、多くの場合、初対面のときに相手に交付されている。しかしながら、最近では、名刺が企業の営業活動に必要不可欠なものとなり、企業ではその効果を高めるため、統一した様式の名刺を使用することが多くなった。特に、営業活動においては、相手である顧客に名刺の交付者を強く印象付けるため、名刺の上に、従来の文字だけでなく、本人の顔写真、社屋の写真、製品の写真等を、フルカラーで印刷したものがでてきている。そして、これらのフルカラーの写真は、カメラやスキャナーで得た情報を、コンピュータ処理することにより、少ない枚数でも、安価に作成することが可能になっている。
これに加えて、営業活動においては、相手先にカタログ等の資料を交付することがしばしば行われる。このような場合、これらの資料は多くの場合、書類ホルダーに入れて交付されるが、書類ホルダーと一緒に名刺も渡されることが多い。その際の名刺の保存は、書類ホルダーに挟み込まれたり、貼り付けられたり、または、下記特許文献１に示されるように、書類ホルダーに設けられたポケットに収納されるなどして行われている。
【先行技術文献】
【特許文献】
【０００３】
【特許文献１】特開２０１０−１４３２１５号公報
【考案の概要】
【考案が解決しようとする課題】
【０００４】
上に述べたように、書類ホルダーと一緒に交付された名刺は、多くの場合別途名刺ホルダーなどに保管されたり、また、紛失したりして、後になって書類ホルダーを見たときにその交付者を直ちに特定できない等の問題があった。また、書類ホルダーにポケットを付けて、そこに名刺を入れることも行われているが、このような場合、資料および名刺の交付者を相手方に強く印象付けることが不可能であった。
本考案はこのような問題を解決するためのものである。顧客にカタログなどの資料を交付する場合、書類ホルダーに名刺が大きく印刷されているため、顧客に対する印象を強烈なものにすることができ、結果として営業促進に役立つことになる。本考案はかかる名刺とその名刺を作成するための名刺用紙を提供することにある。
【課題を解決するための手段】
【０００５】
本考案者が鋭意検討を重ねた結果、名刺用紙自体をクリアファイルなどの書類ホルダーの形状にすることにより、顧客にカタログ等の資料を提供する場合においても、名刺と資料を同時に渡すことができ、名刺を渡した人を顧客に対して強く印象付けることができる名刺とこの名刺を作成するための名刺用紙を提供できることを知見した。
本考案の名刺用紙はかかる知見に基づきなされたもので、請求項１記載の通り、名刺用紙の用紙本体を書類ホルダーの形状に構成したことを特徴とする。
また、請求項２記載の名刺用紙は、請求項１記載の名刺用紙において、前記用紙本体を書類ホルダーの展開形状に構成したことを特徴とする。
また、請求項３記載の名刺用紙は、請求項１または２記載の名刺用紙において、前記用紙本体を紙で構成したことを特徴とする。
また、請求項４記載の名刺用紙は、請求項１乃至３の何れかに１項に記載の名刺用紙において、前記用紙本体の表裏面ともに全面印刷を施すようにしたことを特徴とする。
また、請求項５記載の名刺用紙は、請求項１乃至４の何れか１項に記載の名刺用紙において、前記書類ホルダーの形状が、折り曲げられた一枚のシートもしくは重ね合わされた複数枚のシートからなり、四辺のうち連続する一組の二辺が閉じられ、他の二辺が開放されて、内部に書類を収容できるようにしたものであることを特徴とする。
また、本考案の名刺は、請求項６記載の通り、前記請求項１乃至４の何れか１項に記載の名刺用紙に印刷を施したことを特徴とする。
【考案の効果】
【０００６】
本考案によれば、名刺用紙の用紙本体を書類ホルダーの形状に構成したので、名刺とカタログ等の資料を同時に渡すことができ、名刺を渡した人を顧客に対して強く印象付けることができる名刺を提供できる。
また、前記用紙本体を書類ホルダーの展開形状に構成した場合、印刷がしやすく、また、印刷の自由度が広がりデザイン性にすぐれた名刺を提供できる。
また、前記用紙本体を紙で構成した場合、これまでの多くの名刺と同様に、環境に優しい名刺を提供できる。
また、前記用紙本体の表裏面ともに全面印刷を施すようにした場合、この全面印刷によって用紙本体を紙で構成した場合の強度を高めることができる。
また、本考案の名刺は書類ホルダーの形状に構成されているので、名刺とカタログ等の資料を同時に渡すことができ、名刺を渡した人を顧客に対して強く印象付けることができる。
【図面の簡単な説明】
【０００７】
【図１】本考案名刺用紙の一実施の形態の平面図
【図２】同実施の形態の名刺用紙の印刷を施した状態を示す平面図
【図３】同実施の形態の名刺用紙を名刺にした状態を示す斜視図
【図４】本考案名刺用紙の他の実施の形態の平面図
【図５】同実施の形態の名刺用紙の斜視図
【図６】同実施の形態の名刺用紙に印刷を施した状態を示す平面図
【考案を実施するための形態】
【０００８】
本考案の名刺用紙は、用紙本体を書類ホルダーの形状に構成したものである。
用紙本体の材質は、アート紙、コート紙、上質紙、カード紙等の紙や、ポリプロピレン、ポリエチレン等の合成樹脂など、特にその材質は限定されるものではないが、環境上の観点、あるいは、デジタル印刷に適している観点から、紙で構成するのが好ましい。
【０００９】
前記書類ホルダーの形状は、特に限定されるものではないが、例えば、クリアファイル、ＰＰファイルなどと称される書類ホルダーの形状に形成すればよい。通常は一枚の矩形の用紙本体を中心線に沿って折り曲げ、この折り曲げて形成された一辺と直交する一辺のみを糊付け、あるいは、両面粘着テープなどを用いて接合させて書類を収容できるような形状に形成すればよい。また、前記のように一枚の用紙本体を折り曲げて書類ホルダーに形成してもよいが、複数枚の用紙本体を用意して、これらを重ね合わせ、必要部分のみを接合させて書類を収容できるような形状に形成してもよい。
また、書類ホルダーの内部に仕切りシートを介在させて、書類の収容部分を複数個に区画形成してもよい。
【００１０】
書類ホルダーの大きさは、Ａ４版、Ａ５版等の各種書類の規格に合わせた大きさに形成するのが保存上、管理上の観点からも便利であるが、特にその大きさは限定されるものではない。
尚、名刺としてその形状自体のアピール度を高めるためには、世に普及しているいわゆるクリアファイルの形状に似たものに形成するのが意外性を与える観点から好ましい。
【００１１】
名刺として用いる際の印刷については、オフセット印刷、活版印刷、グラビア印刷、シルク印刷、デジタル印刷などその種類は限定されないが、小ロット印刷ができる観点からは、デジタル印刷が適している。
【００１２】
名刺の上に印刷する項目としては、名刺を交付した人を顧客に対して強く印象付けるために、従来からの氏名や所属に加えて、交付者の顔写真や会社の建物の写真、あるいは、地図等を名刺の片面あるいは両面に印刷してもよい。通常の名刺に記載されている、氏名、所属組織、役職等に加えて、商品説明等、営業活動に役立つ、色々な項目を印刷することも可能である。
【００１３】
尚、前記用紙本体を書類ホルダーの展開形状に構成した場合は、書類ホルダーの形状にしてしまうより印刷がしやすく、また、印刷の自由度が高まるので好ましい。
【００１４】
また、用紙本体を紙で構成した場合には、用紙本体の表裏両面に全面印刷を施すようにすれば、樹脂フィルム等のコート処理をすることなく強度を高めることができる。
この全面印刷は名刺印刷の際に行っても、名刺印刷とは別個に行ってもよい。
【実施例】
【００１５】
次ぎ、図面に基づき本考案の実施例につき説明する。
図１は、図中１で示される名刺用紙の一実施例を示すもので、図中１０で示される用紙本体を書類ホルダーの展開形状に形成したものである。
前記用紙本体１０はカード紙（四六版，１８０ｋｇ）からなり、中心線Ｌに沿って折り曲げ、このように折り曲げて形成された折り曲げ部１１を介して連続する表側シート部１２と裏側シート部１３とを重ね合わせるとともに、前記裏側シート部の前記折り曲げ部１１に直交して連続する一辺に形成した糊代１４を利用して図略の両面粘着テープなどを用いて、前記表側シート部１２と裏側シート部１３を接合して、Ａ４サイズの書類ホルダーに形成したものである。
尚、表側シート部１２の折り曲げ部１１の対向辺、即ち、開放側の一端には書類ホルダーを開きやすくするための切り欠き１５を設け、既存のクリアファイルの形状に似た形状とした。
図２は前記名刺用紙１の用紙本体１０に印刷Ｐを施した状態を示すもので、図３はその印刷Ｐを施した名刺用紙１の用紙本体１０を折り畳んで名刺Ｍにした状態を示すものである。
【００１６】
図４乃至図６は本考案の他実施例を示すもので、前記実施例では、用紙本体１０を書類ホルダーの展開形状に形成して名刺用紙に構成したものであるが、本実施例では、図４の平面図及び図５の斜視図からわかるように、前記展開形状の用紙本体１０を折り畳んで書類ホルダーの形状に形成したものである。このように、本実施例では、書類ホルダーの形状にしてから印刷Ｐを施すようにした。
【００１７】
尚、図示の実施例では、印刷は表側シート部１２と裏側シート部１３の表面側のみに全面印刷Ｐを施すようにしたが、強度を増すためには、前記表側シート部１２と裏側シート部１３の裏面側にも全面印刷を施せばよい。
【産業上の利用可能性】
【００１８】
本考案によれば、顧客にカタログ等の資料を提供する場合においても、名刺と資料を同時に渡すことができ、名刺を渡した人を顧客に対して強く印象付けることができる名刺とこの名刺を作成するための名刺用紙を提供することができるため産業上有用である。
【符号の説明】
【００１９】
１  名刺用紙
１０  用紙本体
１１  折り曲げ部
１２  表側シート部
１３  裏側シート部
１４  糊代
１５  切り欠き
Ｌ  中心線
Ｍ  名刺
Ｐ  印刷
【図１】
0003173733.tif 000003
【図２】
0003173733.tif 000004
【図３】
0003173733.tif 000005
【図４】
0003173733.tif 000006
【図５】
0003173733.tif 000007
【図６】
0003173733.tif 000008